(57)【要約】【課題】主観情報に客観値を付与し客観性を提供【解決手段】主観情報発信者は該主観情報データに「主観的にどの位の確からしさで判断した」評価パラメーター及びウエイトを設定し、通信回線を介してＶＬＳへ送信する。ＶＬＳでは重み関数等の統計的手法と、データベースに格納したデータとの相関性等との処理により、前記評価パラメーター及びウエイトから客観値を導出し、時系列にデータベース化し、客観値利用者、要望者に提供し表示することで、主観情報に客観性を付与する処理及び提供する【選択図】図１
2004362524.tif 000002
【特許請求の範囲】
【請求項１】
ＶＬＳ利用者端末へ通信回線を介してデータ送信する送信部と、
該ＶＬＳ利用者端末からの通信回線を介してデータ受信する受信部と、
該送受信部から該ＶＬＳ利用者からのデータ送受信を管理する送受信管理部と、
該送受信管理部のデータを重み関数等の統計的手法により処理する処理部と、
処理データを時系列的にデータベースに格納し、管理するデータベース管理部と、
手動入力部と、
ＶＬＳデータベース部と、
を備えたことを特徴とするシステムの提供であり、
【請求項２】
ＶＬＳ利用者端末からの主観値評価データ等を通信回線を介して受信する送受信部と、
該送受信部からのデータを所定の形式で管理する送受信管理部と、
該送受信管理部で管理されたデータを重み関数、相関等の統計的手法により、客観値を導出する処理部と、
該処理部の処理データを所定の形式で格納し、管理するデータベース管理部と、
手動入力部と、
ＶＬＳデータベース部と、
を備えたことを特徴とするシステム及び処理の提供であり、
【請求項３】
ＶＬＳ利用者端末からの要望情報データの通信を受信する送受信部と、
該送受信部からのデータ所定に形式に管理する送受信管理部と、
該送受信管理部で管理されたデータを所定の処理をする処理部と、
該処理部の処理により、所定の要望情報データをＶＬＳデータベース部から読み出すデータベース管理部と、
該要望情報データをＶＬＳ利用者へ通信回線を介して通信回線を介して送信する送信部と、送信部を管理する送受信管理部と、
を備えたことを特徴とする主観情報の評価に関する保存・処理により主観に重みを付与する客観値を提供するシステム
【発明の詳細な説明】
【０００１】
【発明の属する技術分野】
本発明は、通信回線を介してオンライン上で主観情報データに設定したパラメーター及びウエイトに重み関数等の統計的手法により、該主観情報データに客観値を導出し提供し表示するシステム及びその処理に関するものである。
【０００２】
【従来の技術】従来、特定の情報が主観的であるか、客観的であるかの峻別は困難であり、情報利用者は、各自の判断及びリスクを基準に判断し利用していた。
【０００３】
【発明が解決しようとする課題】これでは、情報利用者は、特定情報の信頼性を判断する材料及び誤情報に対するリスク回避の所有量の差により、情報利用に対する偏りが生じ、当該情報の公正性を逸してしまう。さらに、何ら客観的な根拠のない主観的な誤情報であるとき、不利益を社会全体に及ぼすことにもなる。本発明の目的は、上記の問題を改善し、情報に客観値を導出することで、情報利用の公正性を提供する方法およびそのシステムに関するものである。
【０００４】
【問題を解決するための手段】本発明、「主観情報の評価に関する保存・処理により主観に重みを付与する客観値を提供する価値論理システム（ＶＬＳ）及び処理」以下、「ＶＬＳ」は、前記した目的を達成するもので、その請求項２記載のＶＬＳ利用者端末から主観情報に評価パラメーター及びウエイト設定等の主観値評価データ等を、当該ＶＬＳ送信して、客観値を導出し、提供し表示することで、主観情報に客観性を付与し、ＶＬＳ利用者が当該客観値を伴う主観情報を広く社会に公開すること及び当該情報利用者がＶＬＳに接続することで、前記客観値の信頼性を常時確認できることにある、以上の手段で情報の公正性を増進することを特徴とする。
【０００５】
その請求項２記載の主観値評価データ等とは主観情報に対する「主観的にどの位の確からしさで判断した」評価パラメーター及びウエイトの設定で、これらのデータ等をＶＬＳへ送信して、重み関数等の統計的手法と、データベースに格納したデータとの相関性等とを処理することにより、客観値を導出し、提供し表示することで、主観情報に客観性を付与するシステム及び処理を提供することを特徴とする
【０００６】
【発明の実施の形態】以下、本発明の実施の形態について、図面を参照して説明する。図１に、ＶＬＳの実施形態を示す。１は本発明の主観情報の評価に関する保存・処理により主観に重みを付与する客観値を提供する価値論理システム（ＶＬＳ）、２は本発明のシステムに登録して、客観値を利用する利用者端末、当該端末によりＶＬＳへアクセスする。２ａは客観値要望者の端末、２ｂは客観値利用者の端末、３は２より当該ＶＬＳからＶＬＳ利用者端末へ客観値情報の送受信部、３ａは３の送受信部において、当該ＶＬＳより外部へ通信回線を介するデータ受信部、３ｂは３の送受信部において、当該システムより外部へ通信回線を介するデータ送信部、４は利用者端末の送受信情報を管理する送受信管理部、認証及び処理データを処理部へ管理する。５は処理部、送受信管理部４の受信データを重み関数、相関等の統計的手法で処理、さらに、キーボード等の直接入力を処理、６はキーボード等による手動入力部、７はデータベース管理部、処理部からの処理データを所定の形式での格納を管理及びデータベースから送信するデータを処理部へ管理するデータベース管理部、８はＶＬＳデータベース部である。
【０００７】
図２〜図９は、本発明の利用手順概要を示す図である。以下、ＶＬＳの利用者である、客観値要望者と客観値利用者の両者の処理、及び該処理に対応するＶＬＳの処理、データベース格納情報処理について説明する。
まず、図２は客観値要望者の処理について、フローチャートを参照して説明する。本発明ＶＬＳを利用するには、始めに、登録処理であるステップＳ１〜Ｓ２で客観値要望者は、登録事項をメールなどの通信回線を介して登録する、必要であれば、キーボード等で直接手動登録する（ステップＳ１）、ＶＬＳにより登録完了後、登録番号等をメール等にて受信（ステップＳ２）。次に通常処理であるステップＳ３〜Ｓ５の説明。客観値要望者は受け取った登録番号等によりＶＬＳに接続する（ステップＳ３）、客観値を必要とする情報に関する、各種の要求項目を入力し、客観値要望情報を送信する（ステップＳ４）、ＶＬＳにより導出された客観値を含む客観値情報を受信する（ステップＳ５）。以上の作業を反復継続する。
【０００８】
図３は、前記客観値要望者の処理に対するＶＬＳの処理について、フローチャートを参照して説明する。客観値要望者からの登録事項の登録処理であるＳａ１〜Ｓａ３。登録事項メールなどの通信回線を介して受信する、必要であれば、キーボード等で直接手動で入力する、該登録事項を管理する（ステップＳａ１）、該登録事項から、ＶＬＳ登録番号の設定および必要事項のデータベースの設定等の処理（ステップＳａ２）、登録番号等を客観値要望者に送信する（ステップＳａ３）。次に通常処理であるステップＳａ４〜Ｓａ１０の説明。登録番号をメール等で通信回線を介して受信（ステップＳａ４）、受信ＶＬＳ登録番号の管理および処理（ステップＳａ５）、客観値要望情報の受信（ステップＳａ６）、該客観値要望情報から必要事項のデータベースの設定等の処理（ステップＳａ７）、重み関数及びウエイト処理等の統計的手法による客観値導出処理（ステップＳａ８）、該客観値要導出処理から必要事項のデータベースの設定等の処理（ステップＳａ９）、前記、導出された客観値を含む客観値情報を客観値要望者に送信する（ステップＳａ１０）。以上の作業を反復継続する。
【０００９】
図４〜図５は、ＶＬＳ利用者処理（客観値要望者）からＶＬＳ処理及びＶＬＳデータベース処理における情報の流れを示す。まず。図左側がＶＬＳ利用者処理（客観値要望者）、図中央がＶＬＳ処理、図右側がＶＬＳデータベース処理であり、各処理は点線で区分している。なお、矢印が情報の流れの方向を示す。
まず、（ＳＳ１、情報内容例ＳＳ１Ｄ）は（図２のステップＳ１）と同処理で、客観値要望者は、登録事項をメール等の通信回線を介してＶＬＳに登録する、（ＳＳ２、情報内容例ＳＳ２Ｄ）は（図３のステップＳａ１）と同処理で、該登録事項をＶＬＳが受信し、入力項目を管理する。（ＳＳ３、情報内容例ＳＳ３Ｄ）及び（ＳＳ４、情報内容例ＳＳ４Ｄ）は（図３のステップＳａ２）と同処理で該登録事項から、ＶＬＳ登録番号の設定および必要事項のデータベースの設定等の処理。（ＳＳ５、情報内容例ＳＳ５Ｄ）は（図３のステップＳａ３）と同処理で、登録番号等を客観値要望者に送信する。（ＳＳ６、情報内容例ＳＳ６Ｄ）は（図２のステップＳ２）と同処理で、客観値要望者が登録番号等をメール等にて受信。（ＳＳ７、情報内容例ＳＳ７Ｄ）は（図２のステップＳ３、Ｓ４）と同処理で、登録番号等によりＶＬＳに接続し、客観値を必要とする情報に対して情報番号の付与、主観値評価、パラメーター及びウエイト設定等の要求項目を入力し、客観値要望情報を送信する。（ＳＳ８、情報内容例ＳＳ８Ｄ）は（図２のステップＳａ４〜６）と同処理で、登録番号等を受信、該登録番号の管理および処理及び異客観値要望情報の受信。（ＳＳ９、情報内容例ＳＳ９Ｄ）は（図２のステップＳａ７）と同処理で、客観値要望情報のデータベース化処理。（ＳＳ１０）は客観値要望情報のデータベース。（ＳＳ１０、情報内容例ＳＳ１０Ｄ）は（図３のステップＳａ８）と同処理で、重み関数及びウエイト処理等の統計的手法による客観値導出処理。
（ＳＳ１１）は（図３のステップＳａ９）と同処理で、客観値情報のデータベース化処理。（ＳＳ１２、情報内容例ＳＳ１２Ｄ）は客観値要望情報のデータベース。（ＳＳ１３、情報内容例ＳＳ１３Ｄ）は（図３のステップＳａ１０）と同処理で、導出された客観値を含む客観値情報を客観値要望者に送信。（ＳＳ１４、情報内容例ＳＳ１４Ｄ）は（図２のステップＳ５）と同処理で、客観値要望者がＶＬＳにより導出された客観値を含む客観値情報を受信する。以上がＶＬＳ利用者処理（客観値要望者）からＶＬＳ処理及びＶＬＳデータベース処理における情報の流れである。
【００１０】
次に、図６は客観値利用者の処理について、フローチャートを参照して説明する。前記同様に、本発明ＶＬＳを利用するには、始めに、登録処理であるステップＴ１〜Ｔ２で客観値利用者は、登録事項をメール等で通信回線を介して登録する、必要であれば、キーボード等で直接手動登録する（ステップＴ１）、ＶＬＳにより登録完了後、登録番号等をメール等にて受信（ステップＴ２）。次に通常処理であるステップＴ３〜Ｔ５の説明。客観値利用者は受け取った登録番号等によりＶＬＳに接続する（ステップＴ３）、客観値を必要とする情報に関する、各種の要求項目を入力し、客観値要望情報を送信する（ステップＴ４）、ＶＬＳにより検索された客観値を含む客観値情報を受信する（ステップＴ５）。以上の作業を反復継続する。
【００１１】
図７は、前記客観値利用者の処理に対するＶＬＳの処理について、フローチャートを参照して説明する。客観値利用者からの登録事項の登録処理であるＴａ１〜Ｔａ３。登録事項メールなどの通信回線を介して受信する、必要であれば、キーボード等で直接手動入力する、該登録事項を管理する（ステップＴａ１）、該登録事項から、ＶＬＳ登録番号の設定および必要事項のデータベースの設定等の処理（ステップＴａ２）、登録番号等を客観値利用者に送信する（ステップＴａ３）。次に通常処理であるステップＴａ４〜Ｔａ１０の説明。登録番号をメールなどの通信回線を介して受信（ステップＴａ４）、受信ＶＬＳ登録番号の管理および処理（ステップＴａ５）、客観値要望情報の受信（ステップＴａ６）、該客観値要望情報から必要事項のデータベースの設定等の処理（ステップＴａ７）、客観値検索処理（ステップＴａ８）、該客観値検索処理から必要事項のデータベースの設定等の処理（ステップＴａ９）、前記、検索された客観値を含む客観値情報を客観値利用者に送信する（ステップＴａ１０）。以上の作業を反復継続する。
【００１２】
図８〜図９は、ＶＬＳ利用者処理（客観値利用者）からＶＬＳ処理及びＶＬＳデータベース処理における情報の流れを示す。まず。図左側がＶＬＳ利用者処理（客観値利用者）、図中央がＶＬＳ処理、図右側がＶＬＳデータベース処理であり、各処理は点線で区分している。なお、矢印が情報の流れの方向を示す。
まず、（ＴＴ１、情報内容例ＴＴ１Ｄ）は（図５のステップＴ１）と同処理で、客観値利用者は、登録事項をメールなどの通信回線を介してＶＬＳに登録する、（ＴＴ２、情報内容例ＴＴ２Ｄ）は（図６のステップＴａ１）と同処理で、該登録事項をＶＬＳが受信し、入力事項を管理する。（ＴＴ３、情報内容例ＴＴ３Ｄ）は（図６のステップＴａ２）と同処理で該登録事項から、ＶＬＳ登録番号の設定および必要事項のデータベースの設定等の処理。（ＴＴ４、情報内容例ＴＴ４Ｄ）は登録情報のデータベース。（ＴＴ５、情報内容例ＴＴ５Ｄ）は（図６のステップＴａ３）と同処理で、登録番号等を客観値利用者に送信する。（ＴＴ６、情報内容例ＴＴ６Ｄ）は（図５のステップＴ２）と同処理で、客観値利用者が登録番号等をメール等にて受信。（ＴＴ７、情報内容例ＴＴ７Ｄ）は（図５のステップＴ３、Ｔ４）と同処理で、登録番号等によりＶＬＳに接続し、客観値を必要とする情報に対して情報番号等の要求項目を入力し、客観値要望情報を送信する。（ＴＴ８、情報内容例ＴＴ８Ｄ）は（図６のステップＴａ４〜６）と同処理で、登録番号等を受信、該登録番号の管理および処理及び客観値要望情報の受信。（ＴＴ９、情報内容例ＴＴ９Ｄ）は（図６のステップＴａ７）と同処理で、客観値要望情報のデータベース化処理。（ＴＴ１０、情報内容例はＴＴ１０Ｄ）は客観値要望情報のデータベース。（ＴＴ１１）は（図６のステップＴａ８）と同処理で、客観値情報検索処理。（ＴＴ１２）は（図３のステップＴａ９）と同処理で、客観値情報のデータベース化処理。（ＴＴ１３、情報内容例ＴＴ１３Ｄ）は客観値情報データベース。（ＴＴ１４、情報内容例ＴＴ１４Ｄ）は（図３のステップＴａ１０）と同処理で、導出された客観値を含む客観値情報を客観値利用者に送信。（ＴＴ１５、情報内容例ＴＴ１５Ｄ）は（図２のステップＴ５）と同処理で、客観値利用者がＶＬＳにより導出された客観値を含む客観値情報を受信する。以上がＶＬＳ利用者処理（客観値利用者）からＶＬＳ処理及びＶＬＳデータベース処理における情報の流れである。
【００１３】
【実施例】
本発明は情報に客観値を提供することにより、情報に客観性をもたらし、これにより情報利用の公正性を増進することを最大の特徴とするシステムである。本発明の実施例として教育現場での例を取り上げる。
従前、教育現場において生徒を評価するに、試験の成績、授業態度等を総合的に評価する、しかし、該評価は主観的評価が支配的である。この主観に対して、本発明、「主観情報の評価に関する保存・処理により主観に客観を付与する客観値を提供するＶＬＳ」を利用する。
該主観の中で特に、試験の評価に客観値を導出する手順を説明する。
テストでは、解答は予め用意され、解答は通常確定している。正答とは該解答をいかに忠実に再現するかである。あいまいな知識や勘等により、偶然にも正答を再現してしまった場合には、知識の習得を適正に評価したことにならず、客観性を逸する。
【００１４】
そこで、客観値要望者である生徒が試験の客観値を得るには、始めにＶＬＳ利用登録をし、登録番号を取得する。ついで、ＶＬＳの要求項目を送信する。本事例の場合にはテストにおける「確かな知識」及び「不確かな知識」を明確にし、テストの評価の客観値を得ることであるので、先ずは、各解答が「主観的にどの位の確からしさで判断した」評価パラメーター及びウエイトの設定である、これに相当するのが自信度のチェックである（図１０）。次に、当該ＶＬＳへ要求項目を送信し、重み関数等の統計的手法と、データベースに格納したデータとの相関性等とを処理することで、客観値を導出し、マトリックス形式で（図１１）該客観値要望者に提供し表示する。以上の手順により、主観情報に客観性を付与する手段を提供する。
【００１５】
次に、客観値利用者である、指導員は前記同様に、始めにＶＬＳ利用登録をし、登録番号を取得する。ついで、ＶＬＳの要求項目を送信する。本事例の場合にはテスト評価の客観値を得ることなので、要求項目を設定して、当該ＶＬＳへ送信する、客観値検索処理により、データベースに格納したデータより、客観値を検索し、該客観値利用者に提供し表示する（図１２）。
【００１６】
【発明の効果】
以上説明したように、本発明の利用により、主観情報に客観値を提供・表示することで、客観性をもたらす。現今、情報技術の発展で、人類は多大な恩恵を享受している反面、さまざまな弊害、例えば、デジタルディバイド等の弊害等を生み出した。氾濫する情報の中で公正生を付与することで、無防備に晒されている人々を守り、広く普及することで、社会の厚生を増進する。
【００１７】
【図面の簡単な説明】
【図１】本発明の主観情報の評価に関する保存・処理により主観に重みを付与する客観値を提供する価値論理システム（ＶＬＳ）
【図２】客観値要望者の処理の流れを示す図
【図３】客観値要望者の処理に対するＶＬＳの処理の流れを示す図
【図４】ＶＬＳ利用者処理（客観値要望者）からＶＬＳ処理及びＶＬＳデータベース部処理における情報の流れを示す図
【図５】ＶＬＳ利用者処理（客観値要望者）からＶＬＳ処理及びＶＬＳデータベース部処理における情報の流れを示す図
【図６】客観値利用者の処理の流れを示す図
【図７】客観値利用者の処理に対するＶＬＳの処理の流れを示す図
【図８】ＶＬＳ利用者処理（客観値利用者）からＶＬＳ処理及びＶＬＳデータベース部処理における情報の流れを示す図
【図９】ＶＬＳ利用者処理（客観値利用者）からＶＬＳ処理及びＶＬＳデータベース部処理における情報の流れを示す図
【図１０】情報登録画面の例
【図１１】客観値情報画面の例
【図１２】客観値利用画面の例
【符号の説明】
１    主観情報の評価に関する保存・処理により主観に客観を付与する客観値を提供するＶＬＳ
２    ＶＬＳ利用者端末
２ａ  客観値要望者端末
２ｂ  客観値利用者端末
３    送受信部
３ａ  受信部
３ｂ  送信部
４    送受信管理部
５    処理部
６    手動入力部
７    データベース管理部
８    ＶＬＳデータベース部
【図１】
2004362524.tif 000003
【図２】
2004362524.tif 000004
【図３】
2004362524.tif 000005
【図４】
2004362524.tif 000006
【図５】
2004362524.tif 000007
【図６】
2004362524.tif 000008
【図７】
2004362524.tif 000009
【図８】
2004362524.tif 000010
【図９】
2004362524.tif 000011
【図１０】
2004362524.tif 000012
【図１１】
2004362524.tif 000013
【図１２】
2004362524.tif 000014